(57)【要約】【課題】脚立使用時に作業者が天板に乗れないようにすることで、天板からの落下等の事故を極力無くするようにした脚立を提供する。【解決手段】前後一対の脚体１，１の上端部が回転金具２によって枢支連結され、各脚体１は左右一対の支柱１，１間に踏桟４を上下方向所要間隔おきに横架することにより形成される梯子兼用脚立において、内外両側壁部７，８の上端部は、作業者が乗ろうとしても足元が不安定となって乗れなくするような不安定面ＵＳ１を形成している。【選択図】図１
2008297705.tif 000002
【特許請求の範囲】
【請求項１】
前後一対の脚体の上端部が回転金具によって枢支連結され、各脚体は左右一対の支柱間に踏桟を上下方向所要間隔おきに横架することにより形成される脚立において、各脚体の上端部の踏桟は、内側の側壁部と外側の側壁部と両側壁部をつなぐ底壁部とによって横断面略コ字状に形成される形材からなるもので、内外両側壁部の上端部は、作業者が乗ろうとしても足元が不安定となって乗れなくするような不安定面を形成してなることを特徴とする脚立。
【請求項２】
前記不安定面は、前記内外両側壁部の夫々上端部又は内外何れか一方の側壁部の上端部に形成された凹凸部からなることを特徴とする請求項１に記載の脚立。
【請求項３】
前記内外両側壁部の夫々上端部に凹凸部が形成された不安定面にあっては、内側側壁部の凹凸部と外側側壁部の凹凸部とは、踏桟を横切る方向に関して凹部どうし又は凸部どうしが対向しないように形成されていることを特徴とする請求項２に記載の脚立。
【請求項４】
前記不安定面は、脚立使用時における前記内外両側壁部の高さが異なって、両側壁部間に大きな段差を形成したものからなることを特徴とする請求項１に記載の脚立。
【発明の詳細な説明】
【技術分野】
【０００１】
本発明は、前後一対の梯子状脚体の上端部が回転可能に連結されてなる脚立に関するものである。
【背景技術】
【０００２】
従来の脚立として、特許公報等の具体的な公知文献を挙げることはできないが、従来使用されている脚立を図５に斜視図で示し、図６の(a) は同脚立の一部正面図、(b) はその側面図、(c) は(a) のＥ−Ｅ線拡大断面図、(d) は(b) の矢印Ｆから見た平面図である。この脚立１０Ｋは、前後一対の脚体１，１の上端部が回転金具２によって枢支連結され、各脚体１は左右一対の支柱３，３間に踏桟４を上下方向所要間隔おきに横架することによって形成されるもので、脚立使用時には、図５に示すように両脚体１，１を所定の角度に開いて開き止め金具５を係止すればよい。この脚立１０Ｋは、開き止め金具５を解放し、両脚体１，１を更に開いて両脚体１，１が一直線状になるように延ばすことにより、梯子として使用することもできる梯子兼用脚立である。
【０００３】
そして、この従来の脚立１０Ｋでは、脚立使用時に天板となる各脚体１の上端部の踏桟４ｏは、天板を作業工具等の仮置きとして使用できるように、上面部１０が幅広平板状に形成されている。
【発明の開示】
【発明が解決しようとする課題】
【０００４】
従来の脚立は、上記のように各脚体１の上端部側の踏桟４ｏの上面が平板状に幅広く形成されていて、脚立使用時に作業者がその天板に比較的乗り易くなっているため、近年、作業時に作業者が天板の上に乗っていて足を踏み外したり、バランスを崩すなどして天板から落下するといった事故が頻発している。
【０００５】
本発明は、上記の事情に鑑み、脚立使用時に作業者が天板に乗り難く、若しくは乗れないようにすることで、天板からの落下等の事故を極力無くするようにした脚立を提供することを目的としている。
【課題を解決するための手段】
【０００６】
上記課題を解決するための手段を、後述する実施形態の参照符号を付して説明すると、請求項１に係る発明は、前後一対の脚体１，１の上端部が回転金具２によって枢支連結され、各脚体１は左右一対の支柱１，１間に踏桟４を上下方向所要間隔おきに横架することにより形成される梯子兼用脚立において、各脚体１の上端部の踏桟４ｏは、内側の側壁部７と外側の側壁部８と両側壁部７，８をつなぐ底壁部９とによって横断面略コ字状に形成される形材からなるもので、内外両側壁部７，８の上端部は、作業者が乗ろうとしても足元が不安定となって乗れなくするような不安定面ＵＳ１，ＵＳ２を形成してなることを特徴とする。
【０００７】
請求項２は、請求項１に記載の脚立において、前記不安定面ＵＳ１は、前記内外両側壁部７，８の夫々上端部又は内外何れか一方の側壁部７又は８の上端部に形成された凹凸部１１，１２からなることを特徴とする
【０００８】
請求項３は、請求項２に記載の脚立において、前記内外両側壁部７，８の夫々上端部に凹凸部１１，１２が形成された不安定面ＵＳ１にあっては、内側側壁部７の凹凸部１１，１２と外側側壁部８の凹凸部１１，１２とは、踏桟４ｏを横切る方向に関して凹部１１どうし又は凸部１２どうしが対向しないように形成されていることを特徴とする。
【０００９】
請求項４は、請求項１に記載の脚立において、前記不安定面ＵＳ２は、脚立使用時における前記内外両側壁部７，８の高さが異なって、両側壁部７，８間に大きな段差１５を形成したものからなることを特徴とする。
【発明の効果】
【００１０】
上記解決手段による発明の効果を、後述する実施形態の参照符号を付して説明すると、請求項１に係る発明の脚立によれば、各脚体１の上端部の踏桟４ｏが、内側の側壁部７と外側の側壁部８と両側壁部７，８をつなぐ底壁部９とによって横断面略コ字状に形成される形材からなるもので、内外両側壁部７，８の上端部は、その上に作業者が乗ろうとしても足元が不安定となって乗れなくするような不安定面ＵＳ１，ＵＳ２を形成していることによって、脚立使用時に、作業者は、天板を形成する脚体１の上端部の踏桟４ｏに乗ろうとしても怖くなって乗ることをあきらめ、結果的に天板からの落下等の事故を極力無くすることができる。
【００１１】
請求項２に係る発明は、不安定面ＵＳ１が、前記内外両側壁部７，８の夫々上端部又は内外何れか一方の側壁部７又は８の上端部に形成された凹凸部１１，１２からなるものの場合であって、この場合も、作業者は、天板を形成する踏桟４ｏに乗ろうとしても足元が不安定となって乗れなくなる。
【００１２】
請求項３に係る発明は、内外両側壁部７，８の夫々上端部に凹凸部１１，１２が形成された不安定面ＵＳ１において、内側側壁部７の凹凸部１１，１２と外側側壁部８の凹凸部１１，１２とは、踏桟４ｏを横切る方向に関して凹部１１どうし又は凸部１２どうしが対向しないように形成されていることにより、作業者は、踏桟４ｏの内外両側壁部７，８に足を置いてもグラグラして極めて不安定な状態となるため、天板に乗ることを積極的にあきらめることになる。
【００１３】
請求項４に係る発明では、不安定面ＵＳ２は、脚立使用時における内外両側壁部７，８の高さが異なって、両側壁部７，８間に大きな段差１５を形成したものからなる場合であって、この場合も、作業者は、天板を形成する踏桟４ｏに乗ろうとしても足元が不安定となって乗れなくなり、結果的に天板からの落下等の事故を極力無くすることができる。
【発明を実施するための最良の形態】
【００１４】
以下に本発明の好適な一実施形態を図１〜図３に基づいて説明すると、図１の(a) は図４及び図５に示す従来の脚立１０Ｋと同様な梯子兼用脚立Ｋの上端部側を脚立使用状態で示す側面図、(b) は梯子使用状態での側面図、(c) は(a) の矢印Ａから見た梯子兼用脚立Ｋの正面図、(d) は(a) のＢ−Ｂ線断面図である。この梯子兼用脚立Ｋは、図４及び図５に示す従来の脚立１０Ｋと同様に、前後一対の脚体１，１の上端部どうしを回転金具２，２及び枢支ピン６により枢支連結してなるもので、各脚体１は、左右一対のアルミ押出形材からなる支柱３，３間に同じくアルミ押出形材からなる踏桟４を上下方向所要間隔おきに横架することによって形成される。
【００１５】
各脚体１の上端部の踏桟４ｏは、図２及び図３に示すように、内側の側壁部７と外側の側壁部８と両側壁部７，８をつなぐ底壁部９とによって横断面略コ字状に形成されるアルミ押出形材からなるもので、内外両側壁部７，８の上端部には、その上に作業者が乗ろうとしても足元が不安定となって乗れなくするような不安定面ＵＳ１が形成されている。
【００１６】
この不安定面ＵＳ１は、内外両側壁部７，８の夫々上端部又は内外何れか一方の側壁部７又は８の上端部に形成された凹凸部１１，１２からなるものである。即ち、図２から分かるように、内側の側壁部７の上端部に凹部１１と凸部１２とが長手方向に交互に形成されており、また外側の側壁部８にも凹部１１と凸部１２とが長手方向に交互に形成されていて、作業者が上端部の踏桟４ｏに極力乗れないようになっている。
【００１７】
また、この不安定面ＵＳ１において、内側側壁部７の凹凸部１１，１２と外側側壁部８の凹凸部１１，１２とは、踏桟４ｏを横切る方向に関して凹部１１どうし又は凸部１２どうしが対向しないように形成されている。これは、踏桟４ｏを横切る方向に関して、内側の側壁部７の凹部１１と外側の側壁部８の凹部１１とが対向しないように、また内側の側壁部７の凸部１２と外側の側壁部８の凸部１２とが対向しないように形成されていることであって、また言い方を変えれば、内側の側壁部７の凹部１１と外側の側壁部８の凸部１２とが対向すると共に、内側の側壁部７の凸部１１２外側の側壁部８の凹部１１とが対向するように形成されていることである。
【００１８】
尚、この踏桟４ｏは、図３の(b) 及び(c) に示すように、脚立使用時に内側側壁部７の上端と外側側壁部８の上端が同一水平レベルに位置するように両支柱３，３に対し取り付けられる。この踏桟４ｏを左右両支柱３，３に取り付けるには、図３の(a) 〜(c) に示すように、踏桟４ｏの端部を支柱３の上端部に嵌合すると共に、踏桟４ｏの端部にカラー１３を嵌め込んだ状態で、支柱３の側壁部３ａ側から踏桟４ｏ側のカラー１３に対しアルミリベット１４を打ち込むことによって、踏桟４ｏを左右両支柱３，３に対し固定する。
【００１９】
上記のような構成の梯子兼用脚立Ｋによれば、各脚体１の上端部の踏桟４ｏが、内側の側壁部７と外側の側壁部８と両側壁部７，８をつなぐ底壁部９とによって横断面略コ字状に形成される形材からなるものであって、内外両側壁部７，８の上端部は作業者が乗ろうとしても足元が不安定となって乗れなくするような不安定面ＵＳ１を形成しているから、脚立の使用時に、作業者は、踏桟４ｏに乗ろうとしても怖くなって乗ることをあきらめ、結果的に天板からの落下等の事故を極力無くすることができる。
【００２０】
特に、この不安定面ＵＳ１は、内側側壁部７の凹凸部１１，１２と外側側壁部８の凹凸部１１，１２とが、踏桟４ｏを横切る方向に関し凹部１１どうし又は凸部１２どうしが対向しないように形成されている、つまり上端部の踏桟４ｏは、踏桟４ｏを横切る方向に関して、内側の側壁部７の凹部１１と外側の側壁部８の凸部１２とが対向すると共に、内側の側壁部７の凸部１１２外側の側壁部８の凹部１１とが対向するように形成されていることにより、作業者は、脚体１の上端部の踏桟４ｏに足を置いてもグラグラして接地できない状態となるため、天板を形成する踏桟４ｏの上には乗れず、その天板に乗ることを積極的に止めることになる。
【００２１】
この実施形態の不安定面ＵＳ１は、踏桟４ｏを形成する内外両側壁部７，８の上端部に夫々凹凸部１１，１２を形成したが、凹凸部１１，１２は、内側の側壁部７のみに形成してもよいし、あるいは外側の側壁部８のみに形成してもよい。
【００２２】
図４は他の実施形態による脚体１の上端側踏桟４ｏの不安定面ＵＳ２を示したもので、この不安定面ＵＳ２は、脚立使用時における内外両側壁部７，８の高さが異なって、両側壁部７，８間に大きな段差１５を形成したものである。この場合、脚立使用時の姿勢において、図４では外側側壁部８の高さが内側側壁部７の高さより高くなっているが、これとは逆に、内側側壁部７の高さを外側側壁部８の高さより高くするようにしてもよい。このような不安定面ＵＳ２も、前述した実施形態の不安定面ＵＳ１と同様な作用効果を奏するもので、内外両側壁部７，８の上端部に作業者が乗ろうとしても、その段差１５により足元が極めて不安定となって、乗ることをあきらめ、結果的に天板からの落下等の事故を極力無くすることができる。
【００２３】
また、上述した実施形態では、梯子兼用脚立について説明したが、本発明は、専用脚立にも適用されるものである。
【図面の簡単な説明】
【００２４】
【図１】(a) は本発明の一実施形態による梯子兼用脚立の上端部側を脚立使用状態で示す側面図、(b) は梯子使用状態での側面図、(c) は(a) の矢印Ａから見た梯子兼用脚立Ｋの正面図、(d) は(a) のＢ−Ｂ線断面図である。
【図２】脚体の上端部の踏桟を示す斜視図である。
【図３】(a) は図１の矢印Ｘから見た平面図、(b) は(a) のＣ−Ｃ線断面図、(c) は(a) のＤ−Ｄ線断面図である。
【図４】他の実施形態による梯子の上端側踏桟を示す断面図である。
【図５】従来使用されている脚立を示す斜視図である。
【図６】(a) は従来の脚立の一部正面図、(b) はその側面図、(c) は(a) のＥ−Ｅ線拡大断面図、(d) は(b) の矢印Ｆから見た平面図である。
【符号の説明】
【００２５】
Ｋ            本発明に係る脚立
１            脚体
２            回転金具
３            支柱
４            踏桟
４ｏ          上端部の踏桟
７            上端部の踏桟の内側の側壁部
８            上端部の踏桟の外側の側壁部
９            上端部の踏桟の底壁部
ＵＳ１        不安定面
１１          凹部
１２          凸部
ＵＳ２        不安定面
１５          段差
１０Ｋ        従来の脚立
【図１】
2008297705.tif 000003
【図２】
2008297705.tif 000004
【図３】
2008297705.tif 000005
【図４】
2008297705.tif 000006
【図５】
2008297705.tif 000007
【図６】
2008297705.tif 000008